【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  番組の属性情報である番組情報を複数蓄積する蓄積手段を有し、上記蓄積手段に蓄積されている番組情報をネットワーク網を介し第１の端末装置に送信する番組情報提供装置であって、
上記蓄積手段に蓄積されている番組情報のうち、番組を紹介するための番組情報である番組紹介情報を少なくとも一つ添付した番組紹介用電子メールを生成する電子メール生成手段と、
上記蓄積手段に蓄積されている番組情報とリンクする番組記録予約設定用アドレスを生成し、上記番組紹介用電子メールに生成した上記番組記録予約設定用アドレスを各番組紹介情報毎に添付するアドレス生成添付手段と、
上記アドレス生成添付手段によって番組記録予約設定用アドレスが添付された番組紹介用電子メールを第１の端末装置に所定の時刻に送信する第１の送信手段と、
上記番組記録予約設定用アドレスへのアクセス入力情報に応じて上記蓄積手段に蓄積された上記番組情報を検索する検索手段と、
上記検索手段によって検索された番組情報に基づいて、上記番組を記録媒体へ記録させる記録装置に対する制御命令である番組記録予約設定スクリプトを生成する番組記録予約設定スクリプト生成手段と、
上記番組記録予約設定スクリプト生成手段によって生成された番組記録予約設定スクリプトを第２の端末装置に送信する第２の送信手段とを備える
ことを特徴とする番組情報提供装置。
【請求項２】  上記第１の送信手段は、上記検索手段によって検索された番組情報を送信要求に応じて上記第１の端末装置に送信することを特徴とする請求項１記載の番組情報提供装置。
【請求項３】  上記アドレス生成添付手段によって生成された番組記録予約設定用アドレスは、このアドレスが番組の記録予約設定をするためのアドレスであることと、番組を記録予約するユーザを特定する情報と、記録予約をする番組の情報とを視覚的に示すことを特徴とする請求項１記載の番組情報提供装置。
【請求項４】  上記番組記録予約設定スクリプト生成手段によって生成された番組記録予約設定スクリプトの生成履歴をユーザごとに蓄積する第２の蓄積手段を有することを特徴とする請求項１記載の番組情報提供装置。
【請求項５】  上記アドレス生成添付手段は、上記番組記録予約設定スクリプト生成手段によって番組記録予約設定スクリプトが少なくとも１つ以上、既に生成されている場合、上記第２の蓄積手段に蓄積されている番組記録予約設定スクリプト生成履歴のうち、当該ユーザの番組記録予約設定スクリプト生成履歴とリンクする記録装置変更モード用アドレスを生成し上記番組紹介用電子メールに添付することを特徴とする請求項３記載の番組情報提供装置。
【請求項６】  上記アドレス生成添付手段によって生成された記録装置変更モード用アドレスは、このアドレスが記録装置を変更するモードへ移行するためのアドレスであることと、記録装置を変更するユーザを特定する情報とを視覚的に示すことを特徴とする請求項５記載の番組情報提供装置。
【請求項７】  上記検索手段は、記録装置変更モード用アドレスに対するアクセス入力情報に応じて上記第２の蓄積手段に蓄積されている当該ユーザの番組記録予約設定スクリプト生成履歴を検索することを特徴とする請求項５記載の番組情報提供装置。
【請求項８】  上記電子メール生成手段は、上記検索手段で検索された番組記録予約設定スクリプト生成履歴を添付した記録装置変更番組選択用電子メールを生成することを特徴とする請求項７記載の番組情報提供装置。
【請求項９】  上記アドレス添付手段は、上記番組記録予約設定スクリプト生成履歴を添付した記録装置変更番組選択用電子メールの各履歴毎に上記第１の蓄積手段に蓄積された当該番組情報とリンクした記録装置変更番組選択用アドレスを添付することを特徴とする請求項８記載の番組情報提供装置。
【請求項１０】  上記アドレス生成添付手段によって生成された記録装置変更番組選択用アドレスは、このアドレスが記録装置を変更する番組を選択するためのアドレスであることと、記録装置変更番組を選択するユーザを特定する情報と、記録装置を変更する番組の情報とを視覚的に示すことを特徴とする請求項９記載の番組情報提供装置。
【請求項１１】  上記第１の送信手段は、上記電子メール生成手段によって生成された記録装置変更番組選択用電子メールを上記第１の端末装置に送信することを特徴とする請求項８記載の番組情報提供装置。
【請求項１２】  上記番組記録予約設定スクリプト生成手段は、記録装置変更番組選択用アドレスに対するアクセス入力情報に応じて番組を記録する上記記録装置が変更されるように生成する番組記録予約設定スクリプトを修正することを特徴とする請求項９記載の番組情報提供装置。
【請求項１３】  上記アドレス生成添付手段は、上記番組記録予約設定スクリプト生成手段によって番組記録予約設定スクリプトが少なくとも１つ以上、既に生成されている場合、上記第２の蓄積手段に蓄積されている番組記録予約設定スクリプト生成履歴のうち、当該ユーザの番組記録予約設定スクリプト生成履歴とリンクする番組記録予約設定キャンセルモード用アドレスを生成し上記番組紹介用電子メールに添付することを特徴とする請求項４記載の番組情報提供装置。
【請求項１４】 上記アドレス生成添付手段によって生成された番組記録予約設定キャンセルモード用アドレスは、このアドレスが番組の記録予約設定をキャンセルするモードへ移行するアドレスであることと、番組の記録予約設定をキャンセルするユーザを特定する情報とを視覚的に示すことを特徴とする請求項１３記載の番組情報提供装置。
【請求項１５】  上記検索手段は、番組記録予約設定キャンセルモード用アドレスに対するアクセス入力情報に応じて上記第２の蓄積手段に蓄積されている当該ユーザの番組記録予約設定スクリプト履歴を検索することを特徴とする請求項１３記載の番組情報提供装置。
【請求項１６】  上記電子メール生成手段は、上記検索手段で検索された番組記録予約設定スクリプト生成履歴を添付したキャンセル用電子メールを生成することを特徴とする請求項１５記載の番組情報提供装置。
【請求項１７】  上記アドレス生成添付手段は、上記番組記録予約設定スクリプト生成履歴を添付したキャンセル用電子メールの各履歴毎に上記第１の蓄積手段に蓄積された当該番組情報とリンクした番組記録予約設定キャンセル用アドレスを添付することを特徴とする請求項１６記載の番組情報提供装置。
【請求項１８】  上記アドレス生成添付手段によって生成された番組記録予約設定キャンセル用アドレスは、このアドレスが番組の記録予約設定をキャンセするためのアドレスであることと、番組の記録予約をキャンセルするユーザを特定する情報と、記録予約設定をキャンセルする番組の情報とを視覚的に示すことを特徴とする請求項１７記載の番組情報提供装置。
【請求項１９】  上記第１の送信手段は、上記電子メール生成手段によって生成されたキャンセル用電子メールを上記第１の端末装置に送信することを特徴とする請求項１６記載の番組情報提供装置。
【請求項２０】  上記検索手段は、番組記録予約設定キャンセル用アドレスに対するアクセス入力情報に応じて上記第１の蓄積手段に蓄積されている当該番組情報を検索することを特徴とする請求項１７記載の番組情報提供装置。
【請求項２１】  上記検索手段によって検索された番組情報に基づいて番組記録予約設定スクリプトを無効にする制御命令であるキャンセル用スクリプトを生成するキャンセル用スリプト生成手段を有することを特徴とする請求項２０記載の番組情報提供装置。
【請求項２２】   上記第２の送信手段は、上記番組記録予約設定キャンセル用スクリプト生成手段で生成された番組記録予約設定キャンセル用スクリプトを上記第２の端末装置に送信することを特徴とする請求項２１記載の番組情報提供装置。
【請求項２３】  番組の属性情報である番組情報を複数蓄積する蓄積手段し、上記蓄積手段に蓄積されている番組情報をネットワーク網を介し第１の端末装置に送信する番組情報提供方法であって、
蓄積されている上記番組情報のうち、番組を紹介するための番組情報である番組紹介情報を少なくとも一つ添付した番組紹介用電子メールを生成し、
蓄積されている上記番組情報とリンクする番組記録予約設定用アドレスを生成し、
上記番組紹介用電子メールに生成した上記番組記録予約設定用アドレスを各番組紹介情報毎に添付し、
上記番組記録予約設定用アドレスが添付された番組紹介用電子メールを所定の時刻に上記第１の端末装置に送信し、
上記番組記録予約設定用アドレスへのアクセス入力情報に応じて上記蓄積手段に蓄積された上記番組情報を検索し、
検索された上記番組情報に基づいて、上記番組を記録媒体へ記録させるための制御命令である番組記録予約設定スクリプトを生成し、
生成された番組記録予約設定スクリプトを第２の端末装置に送信する
ことを特徴とする番組情報提供方法。
【請求項２４】  番組の属性情報である番組情報を複数蓄積する第１の蓄積手段を有し、上記第１の蓄積手段に蓄積された番組情報を送信する番組情報提供装置と、上記番組情報提供装置から送信される番組情報を受信する第１の端末装置と、上記第１の端末装置に送信された番組情報を属性情報として有する番組の記録予約設定をする第２の端末装置とがネットワーク網で接続された番組記録予約システムであって、
上記番組情報提供装置は、上記第１の蓄積手段に蓄積されている番組情報のうち、番組を紹介するための番組情報である番組紹介情報を少なくとも１つ添付した番組紹介用電子メールを生成する電子メール生成手段と、上記第１の蓄積手段に蓄積されている番組情報とリンクする番組記録予約設定用アドレスを生成し上記番組紹介用電子メールに生成した番組記録予約設定用アドレスを各番組紹介情報毎に添付するアドレス生成添付手段と、上記アドレス生成添付手段によって番組記録予約設定用アドレスが添付された番組紹介用電子メールを所定の時刻に送信する第１の送信手段と、上記アドレスへアクセスするためのアクセス入力情報に応じて上記第１の蓄積手段に蓄積された上記番組情報を検索する検索手段と、上記検索手段によって検索された番組情報に基づいて、上記番組を記録媒体へ記録させるための制御命令である番組記録予約設定スクリプトを生成する番組記録予約設定スクリプト生成手段と、上記番組記録予約設定スクリプト生成手段によって生成された番組記録予約設定スクリプトを送信する第２の送信手段とを有し、  上記第１の端末装置は、上記番組情報提供装置の第１の送信手段によって送信された電子メールを受信する第１の受信手段と、上記第１の受信手段で受信した番組紹介用電子メールを表示する第１の表示手段と、上記第１の受信手段によって受信した番組紹介用電子メールに添付された番組記録予約設定用アドレスにアクセスするアクセス入力情報を入力する入力手段と、上記入力手段から入力されたアクセス入力情報を送信する第３の送信手段とを有し、
上記第２の端末装置は、上記番組情報提供装置の第２の送信手段から送信された番組記録予約設定スクリプトを受信する第２の受信手段と、上記第２の受信手段によって受信した番組記録予約設定スクリプトを番組記録予約設定制御信号に変換する信号変換手段とを有する
ことを特徴とする番組記録予約システム。
【請求項２５】  番組の属性情報である番組情報を複数蓄積し、蓄積された上記番組情報を送信する番組情報提供装置と、上記番組情報提供装置から送信される番組情報を受信する第１の端末装置と、上記第１の端末装置に送信された番組情報を属性情報として有する番組の記録予約設定をする第２の端末装置とがネットワーク網で接続された番組記録予約方法であって、
上記番組情報提供装置は、蓄積されている上記番組情報のうち、番組を紹介するための番組情報である番組紹介情報を少なくとも１つ添付した番組紹介用電子メールを生成し、蓄積されている上記番組情報とリンクする番組記録予約設定用アドレスを生成し、上記番組紹介用電子メールに生成した上記番組記録予約設定用アドレスを各番組紹介情報毎に添付し、上記番組記録予約設定用アドレスが添付された番組紹介用電子メールを所定の時刻に上記第１の端末装置に送信し、
上記第１の端末装置は、送信された上記番組紹介用電子メールを受信し、受信した上記番組紹介用電子メールを表示し、受信した上記番組紹介用電子メールに添付された番組記録予約設定用アドレスにアクセスするアクセス入力情報を入力し、入力されたアクセス入力情報を上記番組情報提供装置に送信し、
上記番組情報提供装置は、上記番組記録予約設定用アドレスへアクセスするためのアクセス入力情報に応じて蓄積された上記番組情報を検索し、検索された上記番組情報に基づいて、上記番組を記録手段によって記録媒体へ記録させるための制御命令である番組記録予約設定スクリプトを生成し、生成された番組記録予約設定スクリプトを上記第２の端末装置に送信し、
上記第２の端末装置は、送信された番組記録予約設定スクリプトを受信し、受信した上記番組記録予約設定スクリプトを番組記録予約設定制御信号に変換することを特徴とする番組記録予約方法。
【請求項２６】  番組の属性情報である番組情報を複数蓄積し、蓄積された上記番組情報を送信する番組情報提供装置と、上記番組情報提供装置から送信される番組情報を受信する第１の端末装置と、上記第１の端末装置に送信された番組情報を属性情報として有する番組の記録予約設定をする第２の端末装置と、上記第２の端末装置の番組記録予約設定に応じて記録媒体へ番組を記録する記録装置とがネットワーク網で接続された番組記録予約システムであって、
上記番組情報提供装置は、上記蓄積手段に蓄積されている番組情報のうち、番組を紹介するための番組情報である番組紹介情報を少なくとも１つ添付した番組紹介用電子メールを生成する電子メール生成手段と、上記第１の蓄積手段に蓄積されている番組情報とリンクする番組記録予約設定用アドレスを生成し上記番組紹介用電子メールに生成した番組記録予約設定用アドレスを各番組紹介情報毎に添付するアドレス生成添付手段と、上記アドレス生成添付手段によって番組記録予約設定用アドレスが添付された電子メールを所定の時刻に送信する第１の送信手段と、上記アドレスへアクセスするためのアクセス入力情報に応じて上記第１の蓄積手段に蓄積された上記番組情報を検索する検索手段と、上記検索手段によって検索された番組情報に基づいて、上記番組を記録媒体へ記録させるための制御命令である番組記録予約設定スクリプトを生成する番組記録予約設定スクリプト生成手段と、上記番組記録予約設定スクリプト生成手段によって生成された番組記録予約設定スクリプトを送信する第２の送信手段とを有し、
上記第１の端末装置は、上記番組情報提供装置の第１の送信手段によって送信された電子メールを受信する第１の受信手段と、上記第１の受信手段で受信した電子メールを表示する第１の表示手段と、上記第１の受信手段によって受信した電子メールに添付された番組記録予約設定用アドレスにアクセスするアクセス入力情報を入力する入力手段と、上記入力手段から入力されたアクセス入力情報を送信する第３の送信手段とを有し、
上記第２の端末装置は、上記番組情報提供装置の第２の送信手段から送信された番組記録予約設定スクリプトを受信する第２の受信手段と、上記第２の受信手段によって受信した番組記録予約設定スクリプトを番組記録予約設定制御信号に変換する信号変換手段と、上記信号変換手段によって変換された番組記録予約設定制御信号を送信する第４の送信手段とを有し、
上記記録装置は、上記第２の端末装置の第４の送信手段によって送信された番組記録予約設定制御信号を受信する第３の受信手段と、上記番組表中の番組を受信する第４の受信手段と、上記第４の受信手段で受信した番組を記録媒体へ記録する記録手段と、上記第３の受信手段で受信した番組記録予約設定制御信号に応じて上記記録媒体へ上記第４の受信手段で受信した番組を記録させるよう上記記録手段を駆動制御する制御手段とを有することを特徴とする番組記録システム。
【請求項２７】  番組の属性情報である番組情報を複数蓄積し、蓄積された番組情報を送信する番組情報提供装置と、上記番組情報提供装置から送信される番組情報を受信する第１の端末装置と、上記第１の端末装置に送信された番組情報を属性情報として有する番組の記録予約設定をする第２の端末装置と、上記第２の端末装置の番組記録予約設定に応じて記録媒体へ番組を記録する記録装置とがネットワーク網で接続された番組記録予約方法であって、
上記番組情報提供装置は、蓄積されている上記番組情報のうち、番組を紹介するための番組情報である番組紹介情報を少なくとも１つ添付した番組紹介用電子メールを生成し、蓄積されている上記番組情報とリンクする番組記録予約設定用アドレスを生成し上記番組紹介用電子メールに生成した上記番組記録予約設定用アドレスを各番組紹介情報毎に添付し、上記番組記録予約設定用アドレスが添付された番組紹介用電子メールを所定の時刻に上記第１の端末装置に送信し、
上記第１の端末装置は、送信された上記番組紹介用電子メールを受信し、受信した上記番組紹介用電子メールを表示し、受信した上記番組紹介用電子メールに添付された番組記録予約設定用アドレスにアクセスするアクセス入力情報を入力し、入力されたアクセス入力情報を上記番組情報提供装置に送信し、
上記番組情報提供装置は、上記番組記録予約設定用アドレスへアクセスするためのアクセス入力情報に応じて蓄積された上記番組情報を検索し、検索された上記番組情報に基づいて、上記番組を記録媒体へ記録させるための制御命令である番組記録予約設定スクリプトを生成し、生成された番組記録予約設定スクリプトを上記第２の端末装置に送信し、
上記第２の端末装置は、送信された番組記録予約設定スクリプトを受信し、受信した上記番組記録予約設定スクリプトを番組記録予約設定制御信号に変換し、変換された番組記録予約設定制御信号を上記記録装置に送信し、
上記記録装置は、送信された番組記録予約設定制御信号を受信し、上記番組を受信し、上記番組記録予約設定制御信号に応じて、受信した上記番組を記録媒体へ記録させることを特徴とする番組記録方法。
【手続補正２】
【補正対象書類名】明細書
【補正対象項目名】０００８
【補正方法】変更
【補正の内容】
【０００８】
【課題を解決するための手段】
上述の目的を達成するために、本発明に係る番組情報提供装置は、番組の属性情報である番組情報を複数蓄積する蓄積手段を有し、上記蓄積手段に蓄積されている番組情報をネットワーク網を介し第１の端末装置に送信する番組情報提供装置であって、上記蓄積手段に蓄積されている番組情報のうち、番組を紹介するための番組情報である番組紹介情報を少なくとも一つ添付した番組紹介用電子メールを生成する電子メール生成手段と、上記蓄積手段に蓄積されている番組情報とリンクする番組記録予約設定用アドレスを生成し、上記番組紹介用電子メールに生成した上記番組記録予約設定用アドレスを各番組紹介情報毎に添付するアドレス生成添付手段と、上記アドレス生成添付手段によって番組記録予約設定用アドレスが添付された番組紹介用電子メールを第１の端末装置に所定の時刻に送信する第１の送信手段と、上記番組記録予約設定用アドレスへのアクセス入力情報に応じて上記蓄積手段に蓄積された上記番組情報を検索する検索手段と、上記検索手段によって検索された番組情報に基づいて、上記番組を記録媒体へ記録させる記録装置に対する制御命令である番組記録予約設定スクリプトを生成する番組記録予約設定スクリプト生成手段と、上記番組記録予約設定スクリプト生成手段によって生成された番組記録予約設定スクリプトを第２の端末装置に送信する第２の送信手段とを備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】